(57)【要約】【課題】リボンドローローラー３６でテンションコントロールをするに際し、テンション値が小さい列のリボン状印刷物３０を自動的に選択し、その列のリボン状印刷物３０のテンション値が所定の設定値になるようにコントロールし、皺などの発生を抑制するリボンテンション制御機構を備えたリボン式折り装置の提供にある。【解決手段】各列用のリボンガイドローラー３４全部にテンション測定器２４を備え、該各列用のテンション測定器２４による測定値のうちの最小値を表示した列の測定値を自動的に選択し、該最小値を所定の設定値になるように制御回路２６と直流モーター２８を介してリボンドローローラー３６の回転でテンション制御するリボンテンション制御機構を備えたリボン式折り装置としたものである。【選択図】図３
2006062283.tif 000002
【特許請求の範囲】
【請求項１】
ウエブ輪転印刷機の排紙部側に付随する、走行するウエブ状印刷物を縦方向に複数列に切断してリボン状印刷物とし、該各列のリボン状印刷物をターンバーを介して縦１列になるように揃えられ、各列ごとのガイドローラー等を通過後、各列用のリボンガイドローラーを介して、各列用リボン重ねローラーで１列に重ね合わされ、該重ね合わされたリボン状印刷物を１対のリボンドローローラーで所定の設定値のテンションに制御されて折り胴に導入され、切断され折られて折り丁とするリボンテンション制御機構を備えたリボン式折り装置において、前記各列用のリボンガイドローラーごとにテンション測定器を備え、該各列用のテンション測定器による測定値のうちの最小値を表示した列の測定値を自動的に選択し、該最小値を所定の設定値にリボンドローローラーの回転でテンションを制御することを特徴とするリボンテンション制御機構を備えたリボン式折り装置。
【請求項２】
前記複数列は、６列、５列もしくは４列のいずれかである請求項１記載のリボンテンション制御機構を備えたリボン式折り装置。
【発明の詳細な説明】
【技術分野】
【０００１】
本発明は、ウエブ輪転印刷機に付随するリボン式折り装置に関するものであり、さらに詳細には、リボン状に分割された各印刷物のテンションを制御するリボンテンション制御機構を備えたリボン式折り装置に関するものである。
【背景技術】
【０００２】
出版印刷物や商業印刷物を高速で印刷する印刷機として、オフセットやグラビア方式あるいは凸版方式のウエブ輪転印刷機があり、これらウエブ輪転印刷機の排紙側には、送られてきた印刷物（紙）を裁つて折り、１部ずつにまとめて排出する折り装置が備えられている。
【０００３】
この折り装置のうち、三角板（フォーマ）により印刷済のウエブを縦に連続的に折り重ねる方式に対し、印刷済のウエブをスリッタで縦に複数列に切断（分割）して幅の狭いリボン状にし、それら複数列に分割されたリボン状の印刷物をターンバー等を含め多数のローラ等によって１列に重ねそろえ、かつ天地の見当をそろえ、折り機の折り胴に導くリボン式折り装置があり、特に高速運転に好適な装置として採用されている。
【０００４】
上記リボン式折り装置において、さらに詳しく説明すると、図１の立面概略図に示すように、例えば、ウエブ（３）を供給する給紙部（１１０）と、そのウエブ（３）に印刷する複数の（色数に応じた）印刷ユニット部（１００）と、その後部の折り機構などを備えた給紙部（１２０）からなる多色グラビア輪転機において、印刷ユニット部（１００）の後部の排紙部（１２０）に備えられているスリッタ（２０）によって、前記の印刷ユニット（１００）で印刷された印刷物（３ａ）を縦に複数に切断（分割）し、例えば、図２の立面概略図に示すように、複数（図面では６列）に分割されたリボン状印刷物（３０）は、各列のターニングバー（１０）で縦１列になるようにし、各列のドローローラー（３５）等を経て、さらにリボンガイドローラー（３４）を介して、リボン重ねローラー（３３）で重ね揃えられ、天地の見当も揃えられてリボン式折り装置（１）へ導入し、このリボンドローローラー（３６）で重ね揃えられたリボン状印刷部（３２）を引っ張ってテンションを掛け、折り胴（３７）へ導いて切断され、折られて折り丁（５０）として排出されるようになっている。
【０００５】
このように、折り胴（３７）に入る前の重ね揃えられる時点において、そのリボン状印刷物（３２）にある程度のテンション（張力）がないと、折り胴（３７）に入ったところで皺などが発生し、折り丁不良品となる危惧があった。
【０００６】
そこで従来、上記折り丁不良品となる危惧の解決策として、例えば、折り胴（３７）に入るところで、リボンドローローラ（３６）により重ね揃えられたリボン状印刷部（３２）に、所定の設定値のテンションを掛けているが、スリッタ（２０）により断裁されたリボン状印刷物（３０）は各列ごとにその距離が異なり、かつリボン状印刷物（３０）の伸縮等により各列ごとのテンション値も異なってくる。
【０００７】
そのため、この各列ごとのテンション値の異なりを計算に入れ、リボン重ねローラー（３３）の直前にあるリボンガイドローラー（３４）にテンションを測定するテンション測定器（図示せず）を配設し、そのテンション測定器の測定値と前記の所定の設定値との差をリボンドローローラー（３６）でテンションコントロールを行っていた。
【発明の開示】
【発明が解決しようとする課題】
【０００８】
しかしながら、上記の従来技術、即ちテンション測定器の測定値と前記の所定の設定値との差をリボンドローローラー（３６）でテンションコントロールする方法において、例えば、図５（ａ）の斜視図に示すように、テンション測定器（２４）は、６列でなるリボン状印刷物（３０）のためのリボンガイドローラー（３４）に対し、下から３列目のリボンガイドローラー（３４）と５列目のガイドローラー（３４）にのみ備えられていて、例えば使用するリボンガイドローラー（３４）、すなわち分割されたリボン状印刷物（３０）が６列の場合は、オペレーターの判断で下から５列目か３列目のいずれかのリボンガイドローラー（３４）に備えられているテンション測定器（２４）による測定値を選択していた。
【０００９】
また使用するガイドローラー（３４）、すなわち分割されたリボン状印刷物（３０）が、図５（ｂ）の斜視図に示すように、使用するリボンガイドローラー（３４）が４列の場合は、オペレーターが３列目のガイドローラー（３４）に備えられているテンション測定器（２４）による測定値を選択し、それらの測定値を所定の設定値となるようにリボンドローローラー（３６）でテンションコントロールをするようにしていた。すなわちオペレーターにより選択された列のリボン状印刷物（３０）のテンション値が基準になり、所定の設定値にコントロールされていた。
【００１０】
ところが、実質的には、例えば選択されたガイドローラー（３４）の列のリボン状印刷物（３０）のテンション値に対し、他の列のリボン状印刷物（３０）のテンション値が小さい場合があり、そのテンション値の小さい列のリボン状印刷物（３０）にリボンドローローラー（３６）や折り胴（３７）で皺が発生し、折り丁不良品となるという問題点があった。
【００１１】
本発明は、かかる従来技術の問題点を解決するものであり、その課題とするところは、リボンドローローラー（３６）でテンションコントロールをするに際し、テンション値が小さい列のリボン状印刷物（３０）を自動的に選択し、その列のリボン状印刷物（３０）のテンション値が所定の設定値になるようにリボンドローローラー（３６）のテンションをコントロールするリボンテンション制御機構を備えたリボン式折り装置を提供することにある。
【課題を解決するための手段】
【００１２】
本発明に於いて上記課題を達成するために、まず請求項１の発明では、ウエブ輪転印刷機の排紙部側に付随する、走行するウエブ状印刷物を縦方向に複数列に切断してリボン状印刷物とし、該各列のリボン状印刷物をターンバーを介して縦１列になるように揃えられ、各列ごとのガイドローラー等を通過後、各列用のリボンガイドローラーを介して、各列用リボン重ねローラーで１列に重ね合わされ、該重ね合わされたリボン状印刷物を１対のリボンドローローラーで所定の設定値のテンションに制御されて折り胴に導入され、切断され折られて折り丁とするリボンテンション制御機構を備えたリボン式折り装置において、前記各列用のリボンガイドローラーごとにテンション測定器を備え、該各列用のテンション測定器による測定値のうちの最小値を表示した列の測定値を自動的に選択し、該最小値を所定の設定値にリボンドローローラーの回転でテンションを制御することを特徴とするリボンテンション制御機構を備えたリボン式折り装置としたものである。
【００１３】
また、請求項２の発明では、前記複数列は、６列、５列もしくは４列のいずれかである請求項１に記載のリボンテンション制御機構を備えたリボン式折り装置としたものである。
【発明の効果】
【００１４】
本発明は以上の構成であるから、下記に示す如き効果がある。
【００１５】
即ち、上記請求項１および２に係る発明によれば、前記各列のリボン状印刷物のテンション測定器を各列用のリボンガイドローラーごとに備えたことによって、走行する各列ごとのリボン状印刷物のテンション値が明確になり、そのうちの最小値を示す列は、従来のようにオペレーターの判断（選択）によることなく、自動的に選択され、この値に基づいて所定の設定値になるように制御することができる。すなわち従来のようにオペレーターの判断で制御対象となるリボン状印刷物の列を選択し、その選択された列の測定値を基準に手動で所定の設定値になるように制御していたものを、全て自動的に制御ができ、かつ皺なによる折り丁不良品の発生も確実に抑制されるリボンテンション制御機構を備えたリボン式折り装置とすることができる。
【発明を実施するための最良の形態】
【００１６】
以下本発明を実施するための最良の形態を図面を用いて詳細に説明する。
【００１７】
本発明は、例えば図１の立面概略図に示すように、ウエブ（３）を供給する給紙部（１１０）と、該ウエブ（３）に印刷する印刷ユニット（１００）と、印刷されたウエブ状印刷物（３ａ）を排紙する排紙部（１２０）とでなるウエブ輪転グラビア印刷機において、その排紙部（１２０）では、縦に切断して分割するスリッター（２０）が備えられ、さらに図２の立面概略図に示すように、切断で（６列に）分割されたリボン状印刷物（３０）をターニングバー（１０）で縦１列に揃えられ、それぞれ各列の各ローラーを介して重ねられ、一対のリボンドローラー（３６）の回転でテンションをコントロールして折り胴（３７）に導入し、切断と折りを経て折り丁（５０）とするリボンテンション制御機構を備えたリボン式折り装置（１）に関するものである。
【００１８】
そこで、上記請求項１に係る発明は、例えば図３の部分斜視図に示すように、各列用のリボンガイドローラー（３４）の６列全部にテンション測定器（２４）を備えたもので、これら各列用のテンション測定器（２４）による測定値のうちの最小値を表示した列の測定値を自動的に選択し、その最小値を示したリボンガイドローラー（３４）でのリボン状印刷物（３０）のテンションを所定の設定値になるようにリボンドローローラー（３６）でテンションを制御する（制御回路（２６）と直流モーター（２８）でリボンドローローラー（３６）の回転を制御する）機構を備えたものである。
【００１９】
例えば、図３に示すように、使用しているリボンガイドローラー（３４）が６列全部の場合、運転中の下から２列目のテンション測定器（２４）の測定値が８．７ｄＮ（又は８．７ｋｇｆ）で、他の列に対し最小値を示すと制御回路（２６）で自動的に選択し、選択された最小値と、使用する印刷機や印刷用紙などによって少々異なるが設定値９．１ｄＮ（又は９．１ｋｇｆ）との差を埋めるべく、直流モーター（２８）を介してリボンドローローラー（３６）の回転を制御するようにしたものである。
【００２０】
また、さらに運転中に、例えば下から１列目のリボンガイドローラー（３４）に備えられたテンション測定器（２４）の測定値が最小値を示すように変わっても、制御回路（２６）で自動的にこの測定値を示すリボンガイドローラー（３４）を選択し、上記と同様のテンション制御を行うようにしたものである。
【００２１】
また、図４に示すように、例えば使用するリボンガイドローラー（３４）を下から４列目まで、すなわち４列に分割されたリボン状印刷物（３０）の場合で５列目と６列目のリボンガイドローラー（３４）を使用していない場合、運転中のテンション値は５列目と６列目のテンション測定器（２４）の測定値は０となるが、これを最小値とはせず、使用している４列目までのテンション測定器（２４）のうちの最小値を選択する制御システムと
している。
【００２２】
さらにまた、図示しないが、例えば使用するリボンガイドローラーを下から５列目まで、すなわち５列に分割されたリボン状印刷物の場合で６列目のリボンガイドローラーを使用していない場合、運転中のテンション値は６列目のテンション測定器の測定値は０となるが、これを最小値とはせず、使用している５列目までのテンション測定器のうちの最小値を選択する制御システムとしている。
【００２３】
以上のように、例えば図３に示すように、リボンガイドローラー（３４）の全てにテンション測定器（２４）を取り付け、使用しているリボンガイドローラー（３４）のうち、運転中のテンション値が最小値を示したリボン状印刷物（３０）を自動的に選択し、この最小値と前もって設定されている設定値との差を埋めるべく、リボンドローローラー（３６）を制御することによって、このリボンドローローラー（３６）や折り胴（３７）等でリボン状印刷物（３０）に発生する皺などを抑制し、折り丁不良品となることを防止するリボンテンション制御機構を備えたリボン式折り装置（１）とすることができる。
【００２４】
上記リボンテンション制御機構を備えたリボン式折り装置（１）をさらに具体的に説明すると、印刷機として図１に示すように表４色裏４色出版用グラビア輪転印刷機のの排紙部（１２０）に上記リボンテンション制御機構を備えたリボン式折り装置（１）を適用した場合で、例えば印刷用紙としてのウエブ（３）として、坪量７５．９ｇ／ｍ２  の両面コート紙で、Ａ縦３倍判を使用した場合は、スリッター（２０）で６列に分割され、Ａ縦２倍判を使用した場合は、４列に分割される。
【００２５】
この場合のテンション設定値は、略８．３ｄＮ（又は８．３ｋｇｆ）程度で、各列のリボン状印刷物（３０）の最小値とは、約１．０ｄＮ（又は１．０ｋｇｆ）程度の差は生じ、その差をコントロールするようになる。
【図面の簡単な説明】
【００２６】
【図１】本発明のリボンテンション制御機構を備えたリボン式折り装置が適用されている１事例を示す印刷機の全体の立面図である。
【図２】本発明のリボンテンション制御機構を備えたリボン式折り装置の一実施の形態を説明する立面図である。
【図３】本発明のリボンテンション制御機構を備えたリボン式折り装置の一実施の形態を示すもので、その一部を説明する部分斜視図である。
【図４】本発明のリボンテンション制御機構を備えたリボン式折り装置の他の一実施の形態を示すもので、その一部を説明する部分斜視図である。
【図５】従来のリボン式折り装置のリボンテンション制御機構の一事例を示すもので、（ａ）は、６列を使用したときの斜視図であり、（ｂ）は、４列を使用したときの斜視図である。
【符号の説明】
【００２７】
１‥‥リボンテンション制御機構を備えたリボン式折り装置
３‥‥ウエブ
３ａ‥‥印刷物
１０‥‥ターニングバー
２０‥‥スリッター
２４‥‥テンション測定器
２６‥‥制御回路
２８‥‥直流モーター
３０‥‥リボン状印刷物
３２‥‥重ねられたリボン状印刷物
３３‥‥リボン重ねローラー
３４‥‥リボンガイドローラー
３５‥‥ドローローラー
３６‥‥リボンドローローラー
３７‥‥折り胴
５０‥‥折り丁
１００‥‥印刷ユニット
１１０‥‥給紙部
１２０‥‥排紙部
【図１】
2006062283.tif 000003
【図２】
2006062283.tif 000004
【図３】
2006062283.tif 000005
【図４】
2006062283.tif 000006
【図５】
2006062283.tif 000007